(57)【要約】【課題】パネルの左右に視差のある画像を表示させた携帯情報端末を使用し、単純に組み立てられる簡易的な装置であって、左右の接眼レンズから携帯情報端末のパネルまでの周囲を囲んで外光の影響を受けにくい３次元ビューワを得る。【解決手段】携帯端末のパネル画像を立体視可能な３次元ビューワであって、箱の一平面板に窓部（２１）を開口してパネル画像を視聴可能にした携帯端末収納用外箱（２）と、レンズプレート（３１）を収納したレンズホルダー（３）と、からなり、レンズホルダーは、左右にレンズ開口部を有してレンズプレートを固定する接眼面板（３２）と、少なくとも左右にレンズプレートの側面を覆う側面板と、を有し、側面板が、窓部周縁に当接される形で挿嵌され、レンズホルダーと携帯端末収納用外箱との規定の距離を保つことを可能としたことを特徴とする簡易３次元ビューワ（１）。【選択図】図２
2018124500.tif 000002
【特許請求の範囲】
【請求項１】
携帯端末のパネル画像を立体視可能な３次元ビューワであって、
箱の一平面板に窓部を開口してパネル画像を視聴可能にした携帯端末収納用外箱と、
レンズプレートを収納したレンズホルダーと、からなり、
レンズホルダーは、左右にレンズ開口部を有してレンズプレートを固定する接眼面板と、少なくとも左右にレンズプレートの側面を覆う側面板と、を有し、
側面板が、窓部周縁に当接する形で挿嵌され、レンズホルダーと携帯端末収納用外箱との規定の距離を保つことを可能としたことを特徴とする簡易３次元ビューワ。
【請求項２】
レンズプレートが、左右にレンズを有する双眼レンズプレートからなることを特徴とする請求項１に記載の簡易３次元ビューワ。
【請求項３】
携帯端末収納用外箱に双眼レンズプレートとレンズホルダーが収納可能としたことを特徴とする請求項１又は２に記載の簡易３次元ビューワ。
【請求項４】
双眼レンズプレートとレンズホルダーを収納した携帯端末収納用外箱が、定形外郵便物として郵送可能な外形寸法と重量の条件を満たしたことを特徴とする請求項３に記載の簡易３次元ビューワ。
【請求項５】
双眼レンズプレートとレンズホルダーを収納した携帯端末収納用外箱内部に、商品と商品保護台紙が挿入され、定形外郵便物として郵送可能な重量の条件を満たしたことを特徴とする請求項４に記載の簡易３次元ビューワ。
【請求項６】
携帯端末収納用外箱内部で、商品保護台紙が携帯端末を窓部側に寄せ、携帯端末を固定可能としたことを特徴とする請求項５に記載の簡易３次元ビューワ。
【請求項７】
携帯端末収納用外箱の左右いずれかの側面において、側面内板、あるいは側面外板のいずれか一方が、脆弱線に沿って破断することで形成される開封用フラップと、開封端部と、を有し、
他方の側面外板は、開封用フラップの先端に形成された、差し込み片に対応する位置に切り込み部を有し、
開封端部が他方の切り込みを有する側面内板に接着し、
開封時に脆弱線により形成された開封用フラップの差し込み片が、他方の切り込みに挿嵌して、側面を再封鎖可能としたことを特徴とする請求項１〜６のいずれかに記載の簡易３次元ビューワ。
【請求項８】
レンズホルダーにおいて、レンズプレートが、両面テープで接着していることを特徴とする請求項１〜７のいずれかに記載の簡易３次元ビューワ。
【請求項９】
レンズホルダーが、左右のレンズ用開口部を設けた外形が長方形をした接眼面板を有し、かつ、接眼面板の上下左右それぞれに側面板を有し、
左右側面板のいずれか一方に、平行する三本の折線を介して４つに区画された側面板を有し、２番目と３番目の折線間の区画内に内側開口部と、３番目の折線中央にレンズプレートを挿嵌する切り欠きを形成する為の切り込みと、を有し、
前記切り込みを有する折線から先を、レンズプレートの左右各々のレンズで、パネル画像の左右を別々に覗く為の仕切り板とし、
上下側面板の先端中央に、折線を介して、仕切り板を固定する為の係止片を有し、
接眼面板の左右に接続した側面版が、外箱の窓部左右に挿嵌し、携帯端末のパネル面に当接する形でレンズホルダーが収納されてなることを特徴とする請求項１〜８のいずれかに
記載の簡易３次元ビューワ。
【請求項１０】
レンズホルダーにおいて、接眼面板の左右側面板のいずれか一方に有する平行する三本の折線を介して４つに区画された側面板を有し、２番目と３番目の折線間の区画内に内側開口部と、３番目の折線中央にレンズプレートを挿嵌する切り欠きを形成する為の切り込みと、が繋がる形で設けられ、開口部の折線側端部にレンズプレート押さえを設けたことを特徴とする請求項９に記載の簡易３次元ビューワ。
【請求項１１】
携帯端末収納用外箱の一平面に開口した窓部の左右にレンズホルダー係止フラップを有し、
レンズホルダーが、扁平な直方体の箱形状を成し、おもて面となる接眼面板の左右にレンズ用開口部を開口し、
前記接眼面板の対向面である裏面板において、左右いずれか一方に内側開口部、他方を窓部中心線の対向部を折り線として、パネル画像の左右を別々に覗く為の仕切り板を破断線に沿って破断して起立可能とし、
上下いずれか一方の側面板を延長した延長側面板とし、
延長側面板は、端部から折線を介して、仕切り板を起立した状態で固定する係止片を有し、
左右側面板は、接眼面板側から延伸した側面外板が、裏面側から延伸した側面内板の外側から覆い、
左右の側面外板と側面内板との間に、携帯端末収納用外箱の左右のレンズホルダー係止フラップがそれぞれ挿嵌されてなることを特徴とする請求項１〜８のいずれかに記載の簡易３次元ビューワ。
【請求項１２】
レンズホルダーが、左右のレンズ用開口部を開口し外形が長方形をした接眼面板を有し、かつ、接眼面板の上下左右それぞれに側面板を有し、
４つの側面板がそれぞれ携帯端末収納用外箱の窓部に挿嵌し、
各側面板の先端が携帯端末パネルに当接可能とすることを特徴とする請求項１〜８のいずれかに記載の簡易３次元ビューワ。
【請求項１３】
レンズホルダーの下側面板において、先端に差し込み部と、左右にレンズ用開口部と、左右のレンズ用開口部の間に複数の切り込みと、を有し、
上側面板を連設する折線の中央近傍に切り込みを有し、
レンズプレートが、切り込みにより形成された挿嵌帯と下側面板との間に挿嵌されると共に、
差し込み部が切り込みに係止され、
下側面板と、接眼面板との間に、レンズプレートが狭持可能としたことを特徴とする請求項１２に記載の簡易３次元ビューワ。
【請求項１４】
レンズホルダーが、左右のレンズ用開口部を開口し外形が長方形をした接眼面板を有し、かつ、接眼面板の上下左右それぞれに側面板を有し、
４つの側面板がそれぞれ携帯端末収納用外箱の窓部に挿嵌し、
各側面板の先端が携帯端末パネルに当接すると共に、
レンズホルダーが、左右のレンズ用開口部の間に、複数の切り込みを有し、切り込みにより形成された挿嵌帯と接眼面板との隙間に、レンズプレートを挿嵌可能としたことを特徴とする請求項１〜７のいずれかに記載の簡易３次元ビューワ。
【請求項１５】
レンズホルダーが、折線を介して連設された上下左右の側面板と、各側面板に対し垂直方向に起立可能な接眼面板を有し、
上下側面板の左右中央近傍の対向する位置に、レンズプレートの左右各々のレンズでパネ
ル画像の左右を別々に覗く為の仕切り板を有し、
仕切り板の端面と接眼面板との間にレンズプレートを狭持可能とし、
かかる各側面板のそれぞれが、携帯端末収納用外箱の窓部に挿嵌し、
側面板先端が携帯端末パネルに当接することを特徴とする請求項１〜８のいずれかに記載の簡易３次元ビューワ。
【発明の詳細な説明】
【技術分野】
【０００１】
本発明は、３次元ビューワに関するものである。特にスマートフォンなどの携帯端末を使用した簡易的な３次元ビューワに関するものである。
【背景技術】
【０００２】
人間が物を立体として認識するのは、その物を左右に位置がずれた両目で見て、左右の目の視差から、頭の中で遠近を認識し、同時にそれらを面で繋ぎ、一つの立体画像を作り上げるようにして認識している。
そこで、一つの物を一定の距離で離した２台のカメラで撮影し、それぞれを左右の目に別々に振り分けて表示すれば、両眼で見た画像を、脳内で同時に知覚・合成し、立体的に認識することができる。
この原理を使用して、画像を立体視するビューワが提案されている。
【０００３】
例えば、特許文献１では、左右の眼に対応して配置されたレンズ部と、情報処理端末を載置する台座部と、レンズとの位置関係を固定する連結部と、を備えた映像観察装置で、机等に置いて、安定して観察する装置になっている。
【０００４】
この装置はレンズと台座部の位置を調整することができるなど、観察し易く出来ている。しかし、その分、一般の人にとって、装置が複雑で、装置を組み立てにくい問題と共に、レンズ部と情報処理端末を載置する台座部との間は周りが囲まれてないため、外光の影響を受け易くて画像がはっきり見えにくく、かつ、嵩張る、などの問題があった。
【先行技術文献】
【特許文献】
【０００５】
【特許文献１】実用新案登録第３１８５４５８号公報
【発明の概要】
【発明が解決しようとする課題】
【０００６】
そこで、パネルの左右にそれぞれ視差のある画像を表示させた携帯情報端末を使用し、消費者が面倒な組立作業を行なわず、単純な作業だけで組み立てられる簡易的な装置であって、左右の接眼レンズから携帯情報端末のパネルまでの周囲を囲んで外光の影響を受けにくい３次元ビューワを得ることが本発明の課題である。
【課題を解決するための手段】
【０００７】
本発明の３次元ビューワは、携帯端末のパネル画像を立体視可能な３次元ビューワであって、
箱の一平面板に窓部を開口してパネル画像を視聴可能にした携帯端末収納用外箱と、
レンズプレートを収納したレンズホルダーと、からなり、
レンズホルダーは、左右にレンズ開口部を有してレンズプレートを固定する接眼面板と、少なくとも左右にレンズプレートの側面を覆う側面板と、を有し、
側面板が、窓部周縁に当接する形で挿嵌され、レンズホルダーと携帯端末収納用外箱との規定の距離を保つことを可能としたことを特徴とする簡易３次元ビューワである。
【発明の効果】
【０００８】
本発明の簡易３次元ビューワは、携帯端末収納用外箱とレンズホルダーとからなり、単に、レンズホルダーにレンズプレートを嵌め、携帯端末収納用外箱の窓部を開口し、レンズホルダーを窓部に嵌め込むだけで、組み立てることができる。その為、消費者が購入後
、直ぐに組み立てて使用できると共に、嵌め込んだ左右の側面板が外光を遮って画像を見やすくし、かつ、レンズとパネル画像との距離を調整して焦点を合わせることができる。
【図面の簡単な説明】
【０００９】
【図１】本発明の簡易３次元ビューワの第１実施形態例を示す組立図と、レンズホルダーの組み立て工程を示す斜視図である。
【図２】本発明の簡易３次元ビューワの第１実施形態例における組み立て工程を示す斜視図である。
【図３】本発明の簡易３次元ビューワの第１実施形態例に使用する携帯端末収納用外箱とレンズホルダーと商品保護台紙の展開図である。
【図４】本発明の簡易３次元ビューワを組み立てた第１実施形態例における縦断面図と横断面図である。
【図５】本発明の簡易３次元ビューワの第１実施形態例の変形例を示すレンズホルダーで、その展開図と、組み立て工程を示す斜視図、およびレンズプレートとの嵌合状態を示す断面図である。
【図６】本発明の簡易３次元ビューワの第２実施形態例に使用する携帯端末収納用外箱とレンズホルダーと商品保護台紙の展開図である。
【図７】本発明の簡易３次元ビューワの第２実施形態例におけるレンズホルダーの組み立て工程を示す斜視図と、それを携帯端末収納用外箱に組み込む工程を示す斜視図である。
【図８】本発明の簡易３次元ビューワの第３実施形態例に使用する携帯端末収納用外箱とレンズホルダーの展開図である。
【図９】本発明の簡易３次元ビューワの第３実施形態例におけるレンズホルダーの組み立て工程を示す斜視図と、レンズホルダーと携帯端末とを携帯端末収納用外箱に組み込む工程を示す斜視図である。
【図１０】本発明の簡易３次元ビューワの第３実施形態例の変形例で、レンズホルダーの変更内容を示す斜視図である。
【図１１】本発明の簡易３次元ビューワの第４実施形態例に使用するレンズホルダーの展開図と、携帯端末収納用外箱内部に挿入しておく状態を示す斜視図である。
【図１２】本発明の簡易３次元ビューワの第４実施形態例におけるレンズホルダーの組み立て工程を示す斜視図と、レンズホルダーと携帯端末とを携帯端末収納用外箱に組み込む工程を示す斜視図である。
【発明を実施するための形態】
【００１０】
以下、本発明の簡易３次元ビューワにおける実施形態例について、図を用いて詳細に説明する。
本発明の簡易３次元ビューワ１は、図１−１で示すように、箱の内部に携帯端末を収納した携帯端末収納用外箱２と、左右にレンズを有するレンズプレート３１を嵌めて携帯端末のパネル画像を覗き観るためのレンズホルダー３と、からなる。
レンズホルダー３は、携帯端末収納用外箱２の開口部に挿嵌し、左右のレンズを通してパネル（画像）を視聴可能としている。
【００１１】
図１−２は、第１実施形態例のレンズホルダー３と、レンズホルダー３に挿嵌するレンズプレート３１である。
このレンズホルダー３は、レンズプレート３１を固定し左右のレンズ３１０部分を挿嵌するレンズ用開口部３２１を持つ長方形の接眼面板３２と、その上下左右の４辺端部に接続した４枚の側面板からなる。
この４枚の側面板の内、左右側面板のいずれか一方、この図１−２では右側の側面板が、平行する三本の折線が入った側面板になっている。
この右側面板３３は、接眼面板３２端部から第１折り線３３１で１８０度、折り畳まれる。そして、第２折り線３３２と第３折り線３３３との間に内側開口部３３４を有し、レンズを透過する映像が見えるようにしている。
また、第３折り線３３３では、その先が接眼面板３２に垂直になるように折り曲げて、仕切り板３３６を形成する。
さらに、第３折り線中央近傍には切り込み３３５を有し、第３折り線に並行するように切り込み３３５を形成することで、仕切り板３３６を起立した際、下端に隙間が形成され、切り込み３３５および、その折線側端部がレンズプレート押さえになり、レンズプレート３１を挿嵌した状態で押さえている。
仕切り板３３６は、視野角が異なる画像をパネルの左右に映し出し、そのパネル画像の左右を、各々独立して、左右別々の眼で覗く為の壁になる。
接眼面板３２端部から上下に伸びる上側面板３５や下側面板３６の先端には、折線３５２，３６２を介して、仕切り板を固定する係止片３５１、３６１を有している。係止片３５１、３６１には切り欠きを有し、仕切り板３３６の上下にも切り欠きや切り込みが設けられている。この係止片３５１、３６１の切り欠きが、仕切り板３３６の切り欠きや切り込みに挿嵌して、接眼面板３２に対して仕切り板３３６を垂直に固定する。
【００１２】
図２−１は、第１実施形態例のレンズプレート３１を挿嵌したレンズホルダー３と、携帯端末収納用外箱２の斜視図である。
携帯端末収納用外箱２の一平面板には、脆弱線２１１で囲まれた窓部２１を有している。この窓部２１は、携帯端末収納用外箱２の中に入れる携帯端末のパネルを外側から見えるように開口するもので、周囲を脆弱線２１１で囲み、容易に破断させて取り除き、開口できるようになっている。
携帯端末収納用外箱２の左右いずれか一方の側面板は、携帯端末を挿入させる為に、開封後、再封鎖できる左側面外板２２になっている。
左側面外板２２は、左側面内板２２２と開封用フラップ２２１とが重なるようにして封鎖されている。
図２−１では、左側面外板２２は、左側面内板２２２の外面側に、脆弱線２２１３で切り残った左右の開封端部２２１１，２２１２が貼り合わされる形態になっている。
ここでは、開封用フラップ２２１は、脆弱線２２１３で切り残って形成される差し込み片２２１０を有している。
他方の左側面内板２２２は、差し込み片２２１０に対応する位置に切り込み部２２２１を有している。
そして、左右の開封端部２２１１，２２１２が、左側面内板２２２に接着されている。
開封時に脆弱線２２１３で切り取られた差し込み片２２１０が、切り込み部２２２１に挿嵌して、側面を再封鎖可能としている。
【００１３】
図２−２は、第１実施形態例のレンズプレート３１を挿嵌したレンズホルダー３を、携帯端末収納用外箱２に挿嵌する工程を示す斜視図である。
まず、携帯端末収納用外箱２の左側面を開いて、パネル（画像）４１側を窓部２１側に向けた携帯端末４を挿入する。
左側面の左側面内板２２２の外側に、開封用フラップ２２１の開封端部２２１１，２２１２が脆弱線により切り残った状態で接着している。
そして、左右の開封端部の間には、切り込み部２２２１が現れている。
携帯端末４を挿入後、切り込み部２２２１に、図２−１で示した差し込み片２２１０を挿入して、再封鎖することができる。
レンズプレート３１を挿嵌したレンズホルダー３を、携帯端末収納用外箱２に挿嵌するには、レンズホルダー３の各側面板を接眼面板３２に対して垂直方向に起立し、開口した携帯端末収納用外箱２の窓部２１に挿嵌する。
この時、レンズホルダー３側からレンズを通して携帯端末４のパネル（画像）４１を見ながら、レンズホルダー３と携帯端末収納用外箱２との相対位置を調整し、立体的に見やすくすることができる。
【００１４】
図３−１は、第１実施形態例における携帯端末収納用外箱２の展開図である。
組み立てれば扁平状の直方体である箱型で、広い平面を持つ裏面板２４と、それに対向する表面板２５と、それらを繋ぐ幅の小さな側面板から構成される。
裏面板２４には、脆弱線２１１で四方を囲まれた窓部２１を有している。図３−１のように、部分的に指を刺し入れて脆弱線２１１を破断するきっかけを設けておくことが望ましい。
右端ののりしろ２３１は、左端の側面板２３と接着される、
同じように、右側面外板２７には、右側面内板２７１が接着される。
左側面板は、再封可能になっている。
左側面内板２２２の外側に、開封用フラップ２２１を有する左側面外板が貼り合わされる構成になっている。
ここでは、開封用フラップ２２１は、脆弱線２２１３で切り取られて形成される差し込み片２２１０を有している。脆弱線はミシン目のような部分的に切れ目が入って、手で容易に破談可能な脆弱線が使用できる。
他方の左側面内板２２２は、左右方向においてほぼ中央となる差し込み片２２１０に対応する位置に係止用の切り込み部２２２１を有している。
左側面内板２２２と左側面外板２２の貼り合わせは、左右の切取り端部２２１１，２２１２のみが、左側面内板に接着するようにしている。その為、開封時に脆弱線２２１３で切り残った開封端部２２１１，２２１２は開封後、左側面内板２２２の方に残る。
そして、切り取られた差し込み片２２１０が、切り込み部２２２１に挿嵌して、側面を再封鎖可能としている。
【００１５】
図３−２は、第１実施形態例におけるレンズホルダー３の展開図である。
左右のレンズ用開口部３２１を開口し外形が長方形をした接眼面板３２の４辺端部（上下左右）に接続した、側面板が繋がっている。
４枚の側面版の内、左右側面板のいずれか一方、この図３−２では右側の側面板には、平行する三本の折線が入った側面板になっている。
この右側面板３３は、接眼面板３２端部から第１折り線３３１で１８０度、折り畳まれる。そして、第２折り線３３２と第３折り線３３３との間に内側開口部３３４を有し、レンズを透過する映像が見えるようにしている。
また、第３折り線３３３では、その先が接眼面板３２に垂直になるように折り曲げて、仕切り板３３６を形成する。
さらに、第３折り線中央近傍には切り込み３３５を有し、第３折線に並行するように切り込み３３５を形成することで、仕切り板３３６を起立した際、下端に隙間が形成され、切り込み３３５およびの折線側端部がレンズプレート押さえになり、レンズプレートを挿嵌した状態で補助的に押さえるようになっている。実際には、レンズプレートと接眼面板３２との間に両面テープ等で完全に固定するようにする。
仕切り板３３６は、視野角が異なる画像をパネルの左右に映し出し、そのパネル画像の左右を、各々独立して、左右別々の眼で覗く為の壁になる。
接眼面板３２端部から上下に伸びる上側面板３５や下側面板３６の先端には、折線３５２，３６２を介して、仕切り板を固定する係止片３５１、３６１を有している。係止片３５１、３６１には切り欠きを有し、仕切り板３３６の上下にも切り欠きや切り込みが設けられている。この係止片３５１、３６１の切り欠きが、仕切り板３３６の切り欠きや切り込みに挿嵌して固定し、仕切り板を接眼面板３２に垂直に固定保持する役目を持っている。
【００１６】
図３−３は商品保護台紙６である。商品保護台紙６は、Ｅフルートなどの段ボールシートを用いるのが好ましい。
中央に台座６１と、上下に脚部として内側に空間を形成することができる上側板６２、下側板６３を有し、折線で折り曲げると、断面がコの字形状になるようになる。
携帯端末収納用外箱２の中に、レンズホルダーやレンズプレートを入れて販売するが、携帯端末収納用外箱２の中に、商品を入れ、それを郵送できるようにすることもできる。
例えば、３次元ビューワで鑑賞する映画やアニメーションなどが、宣伝のキャラクターになっている商品などを販売するのに利用できる。
商品は御菓子のような食品であっても、文具などであってもかまわないが、郵送できるようにするには、携帯端末収納用外箱の外形寸法が投函可能な大きさで、厚みは３５ｍｍ以下であり、商品を含めた重量は、定形外郵便物として郵送可能な重さである１００ｇ以内であることが望ましい。
商品によって、レンズホルダーなどが変形して、使用できなくならないように、また、商品が落下などにあっても破損しにくいように、商品保護台紙の間に商品等挟むようにして覆うことで保護できるようにする。
【００１７】
図４−１、図４−２は、本発明の簡易３次元ビューワを組み立てた第１実施形態例における縦断面図と横断面図である。
携帯端末を、携帯端末収納用外箱２の窓部側に携帯端末４のパネルが向くように入れて、窓部にはレンズホルダー３を挿入している。レンズホルダー３の中央には仕切り板３３６が接眼面板３２に対し垂直に立ち、仕切り板３３６を固定する係止片３５１、３６１が、仕切り板３３６の切り欠きに係止して固定している。
図では、携帯端末４のパネル表面に、レンズホルダーの側面板や仕切り板３３６が当接しているが、レンズホルダー３をパネルに対して遠近方向に移動させ、見やすい位置に調整できる。
【００１８】
図５は、本発明の簡易３次元ビューワの第１実施形態例の変形例を示すレンズホルダーで、その展開図（図５−１）と、組み立て工程を示す斜視図（図５−２）、およびレンズプレートとの嵌合状態を示す断面図（図５−３、図５−４）である。
この変形例は、レンズホルダー３の接眼面板３２の左右側面板の一方に平行する三本の折線が入ったフラップにおいて、第２折り線３３２と第３折り線３３３との間に有する内側開口部と、第３折り線３３３中央にレンズプレートを挿嵌する切り込みと、が繋がり、開口部の折線側端部にレンズプレート押さえ３３６２を有するものである。
第１実施形態例では、レンズプレートのレンズホルダー３への固定は、両面テープなどで接着するだけに頼った設計であった。しかし、変形例では、レンズプレート押さえ３３６２を有する開口部形状によって、レンズプレートを中央で押し付けることができるので、両面テープを使用しなくても固定できると共に、併用すれば、より安定して固定することができる。
【００１９】
図６は、本発明の簡易３次元ビューワの第２実施形態例に使用する携帯端末収納用外箱２とレンズホルダー３と商品保護台紙６の展開図である。
図６−１の携帯端末収納用外箱２の窓部２１は、すべて切り離して開口するのではなく、左右にレンズホルダー３に挿嵌するレンズホルダー係止フラップ２８を有している。
【００２０】
又、図６−２のレンズホルダー３は、扁平な直方体の箱形状になる六面体を構成可能な展開図になっている。このレンズホルダー３は、扁平の広いおもて面の左右にレンズ用開口部３２１を開口した接眼面板３２とする。
接眼面板３２には、左右２つのレンズ用開口部３２１を結ぶ中心線を垂直に切る方向に複数の切り込み３２２が設けられている。この切り込み３２２は、レンズプレートを挿嵌して固定する為の挿嵌帯３２２０を形成する。
そして、接眼面板３２の対向面である裏面板３７において、左右いずれか一方に内側開口部３３４、他方を窓部中心線の対向部を折り線として、パネル画像の左右を別々に覗く為の仕切り板３３６は、脆弱線を介して破断可能に形成し、垂直に起立可能としている。
さらに、組み立てた時上側になる側面板を、長く延長して延長側面板３８としている。こ
の延長側面板３８は、端部から折線を介して、仕切り板３３６を垂直に起立した状態で固定するための係止片３８１を有している。
延長側面板３８の反対側端部には、延長側面板３８に接着させるのりしろ片３８２が設けられている。
また、延長側面板３８とは直角方向の側面には、接眼面板側からの側板と裏面板側からの側板があって、組み立てた時に重ねることができるようになっている。
【００２１】
図６−３は商品保護台紙６である。
商品によって、レンズホルダーなどが変形して、使用できなくならないように、また、商品が落下などにあっても破損しにくいように、商品保護台紙の間に商品等挟むようにして覆うことで保護できるようにする。
【００２２】
図７は、本発明の簡易３次元ビューワの第２実施形態例で、図７−１がレンズホルダー３の組み立て工程を示す斜視図で、図７−２が携帯端末収納用外箱２にレンズホルダー３と携帯端末４を合わせ、組み立てている状態を示す斜視図である。
このレンズホルダー３の組み立ては、まず、延長側面板３８にのりしろ片３８２を接着して、扁平な四角柱状の筒にする。
筒内部に指を入れて裏面板３７の中央に有する仕切り板３３６の３方を脆弱線に沿って破断して切り離し、垂直に起立する。この時、延長側面板３８の係止片３８１を折り曲げ、仕切り板３３６の切り込みに係止片３８１を挿嵌し、垂直に起立した状態で固定する。
次に、挿嵌帯３２２０を接眼面から浮かび上がらせて、隙間を設け、接眼面板内側にレンズプレート３１を挿嵌する。この時、両面テープなどを併用してもかまわない。
また、レンズホルダー３の左右側面では、おもて面側から伸びる側面外板３９１が、裏面側から延びる側面内板３９２の外側から覆うように差し込んで組み立てる。
【００２３】
図７−２では、携帯端末収納用外箱２の側板側から、携帯端末４を挿入する。この時、窓部側に携帯端末４のパネルが向くように挿入する。
そして、レンズホルダー３の左右では、側面外板３９１が、側面内板３９２の外側から覆っているが、その側面外板３９１と側面内板３９２との隙間に、携帯端末収納用外箱２のレンズホルダー係止フラップ２８が、左右それぞれ挿嵌するようにする。
同時に、延長側面板３８が、窓部に挿嵌させる。
この為、少なくとも、左右と上側がレンズプレートとパネルの間で、遮光するようになる。
【００２４】
図８は、本発明の簡易３次元ビューワの第３実施形態例に使用する携帯端末収納用外箱とレンズホルダー、および、商品保護台紙の展開図である。
図８−１は、携帯端末収納用外箱２で、第１実施形態例における携帯端末収納用外箱２と同じである。
図８−２は、レンズホルダー３で、接眼面板３２の外周の四辺に折線で繋がった４枚の側面板が、長く伸びた形状である、
接眼面板３２には、左右２つのレンズ用開口部３２１が設けられている。
また、この図のように、上方になる側面板の表面に上側であることを示す矢印などのマーク等を印刷したりしても良い。
【００２５】
図８−３は、商品保護台紙６である。この商品保護台紙６は、商品の六面を保護する六つの壁を有し、携帯端末収納用外箱２に内接すると共に、レンズホルダーやレンズプレートなどに圧が掛からないよう、左右に立ち壁を有している。
携帯端末収納用外箱２の中に、レンズホルダーやレンズプレートを入れて販売するが、携帯端末収納用外箱２の中の隙間に、商品を入れ、それを郵送できるようにすることができる。
商品によって、レンズホルダーなどが変形して、使用できなくならないように、また、商品が落下などにあっても破損しにくいように、商品保護台紙の間に商品等挟むようにして覆うことで保護できるようにする。
【００２６】
図９は、本発明の簡易３次元ビューワの第３実施形態例におけるレンズホルダー３の組み立て工程を示す斜視図と、レンズホルダー３と携帯端末４とを携帯端末収納用外箱２に組み込む工程を示す斜視図である。
図９−１は、レンズホルダー３の組み立て工程で、単に接眼面板３２中央に、レンズプレート３１を両面テープなどで接着して固定する。
その後、接眼面板３２の外端縁部に接続する４枚の側面板を接眼面板３２に垂直に立てる。
図９−２は、レンズホルダー３と携帯端末４とを携帯端末収納用外箱２に組み込む工程を示す斜視図である。この第３実施形態例では、レンズホルダー３の側面板が４枚とも長く、窓部からかなり内側に挿嵌できる。
この第３実施形態例は、安価にできて、組み立ても容易である。レンズホルダー３の挿嵌深さを調整することで、ビューワの位置あわせも簡単である。
【００２７】
図１０−１は、第３実施形態例の変形例である。レンズホルダー３の接眼面板３２に、切り込み３２２で形成された挿嵌帯３２２０を設けた。
その為、組み立て工程で、単に接眼面板３２中央の切り込み３２２で形成された挿嵌帯３２２０を内側に引き上げ、接眼面板３２と挿嵌帯３２２０との間に隙間を作り、その隙間にレンズプレート３１を挿嵌させる。この時、挿嵌帯３２２０だけではなく、両面テープなどを併用してもよい。
その後、第３実施形態の順序で組み立てることができる。
【００２８】
図１０−２は、第３実施形態例の別の変形例で、レンズホルダー３において、レンズプレート３１の固定をより確実にした実施形態例である。
組み立てた時に下側になる下側面板３６に、レンズに対応した左右２つのレンズ用開口部３６３を設け、その２つのレンズ用開口部３６３を結ぶ中心線に直交する方向に複数の切り込み３６４が設けられている。この切り込み３６４は、レンズプレート３１を挿嵌して固定する為の挿嵌帯３６４０を形成する。
そこで、挿嵌帯３６４０を引き上げ、下側面板との隙間にレンズプレート３１を挿嵌して、一旦、下側面板に固定する。
下側面板３６の外側には、差し込み部３６５を形成してある。
また、上側面板３５と接眼面板３２を繋ぐ折線部分の中央に、差し込み部３６５が挿嵌可能な幅の、切り欠き３５３が設けられている。
そこで、レンズプレート３１を挿嵌した下側面板３６を、接眼面板３２に対してほぼ１８０度折り曲げて、差し込み部３６５を切り欠き３５３に挿嵌し、固定する。
その後、接眼面板３２に対し、左右と上の側面板を垂直に立て、第３実施形態の順序で組み立てることができる。
【００２９】
図１１は、本発明の簡易３次元ビューワの第４実施形態例に使用するレンズホルダー３の展開図と、梱包時に携帯端末収納用外箱内部に挿入しておく状態を示す斜視図である。この第４実施形態例では、レンズホルダー３の側面板が繋がり、より一体的にレンズとパネルの位置調整し易くしている。
図１１−１は、レンズホルダー３の展開図で、上側面板３５、右側面板３３、下側面板３６、左側面板３４、接着板３３７、仕切り板３３６、のりしろ３３８と、が繋がっています。
また、下側面板３６には接眼面板３２が繋がっており、接眼面板３２の下側面板３６とは反対側端部には、仕切り板３３６を挟んで固定する為の切り欠き３２３０を有する差し込
みフラップ３２３を有している。
また、下側面板３６と接眼面板３２とを仕切る折線中央に、折線で囲んだ折り込み部３６６を設けている。この折り込み部３６６は、組み立てた時に、下側面板３６と接眼面板３２を確実に直角に保つように作用する。
図１１−２は、レンズホルダーの接着板やのりしろを接着し、図１１−１の折り線３３９、折り線３４１、接着板３３７と仕切板との間の折り線をそれぞれ折ることで、レンズホルダー３全体が２つ折りに折り畳まれて、携帯端末収納用外箱内部に収納し易くした状態を示している。
このように、携帯端末収納用外箱から取り出して、折り畳んで曲がった部分を元に戻すだけで、簡単に使用できる形態にすることが容易である。
【００３０】
図１２は、本発明の簡易３次元ビューワの第４実施形態例におけるレンズホルダーの組み立て工程を示す斜視図と、レンズホルダーと携帯端末とを携帯端末収納用外箱に組み込む工程を示す斜視図である。
図１２−１は、レンズホルダー３の組み立て工程を示す斜視図で、図１１−２のように折り畳まれたレンズホルダー３の折り畳んで曲がった部分を元に戻した状態である。
折り畳まれていたのは左右の側面板と仕切り板３３６だけなので、それらを真直ぐに起こして筒状に形成し、接眼面板３２にレンズプレート３１を両面テープなどで接着し、差し込みフラップ３２３を上側面板３５の内側に挿嵌するだけで、レンズホルダー３を組み立てることができる。
レンズプレートが先に固定されている場合には、折り畳まれていた側面板と仕切り板を真直ぐに起こして、差し込みフラップ３２３を上側面板側に差し込むだけで瞬時に組み立てることができる。
この時、折り込み部３６６周囲の折線をしっかり押し込めば、レンズホルダー３に剛性が出て、３次元ビューワの位置調整がしやすくなる。
【００３１】
図１２−２は、３次元ビューワの第４実施形態例における組立てである。
携帯端末収納用外箱２の左側面は、脆弱線を破断して開封されている。携帯端末４のパネル４１を窓部側に向けて、携帯端末収納用外箱２の左側面から挿入する。
携帯端末４を挿入後、切り込み部２２２１に、差し込み片２２１０を挿入して、再封鎖する。
レンズプレートを固定したレンズホルダー３を、開口した携帯端末収納用外箱２の窓部２１に挿嵌する。
レンズホルダー３側からレンズを通して携帯端末４のパネル（画像）４１を見ながら、レンズホルダー３と携帯端末収納用外箱２との相対位置を調整し、立体的に見やすくすることができる。
【００３２】
本発明の簡易３次元ビューワに用いる携帯端末収納用外箱は、薄いダンボールや厚紙などをビク刃などでプレスするだけで、簡単に製造できる。
また、レンズホルダーも、厚紙やプラスチックシートなどをビク刃やプレス金型などでプレスするだけで、簡単に製造できる。
レンズプレートは、ポリメチルメタアクリレートなどの透明樹脂を射出成形、あるいは射出圧縮成形するだけで、容易に、かつ、大量で安価に製造できる。
【００３３】
本発明の簡易３次元ビューワは、以上のように、スマートフォンなどの携帯端末のパネル（画像）に、左右２つのレンズで捕らえたそれぞれの画像を、左右別々に分けて映し出した３次元画像と音声を元に、左右別々の眼でそれぞれ観ることで、立体的な３次元映像として視聴可能なビューワである。
この簡易３次元ビューワは、携帯端末収納用外箱内部にレンズホルダーやレンズプレートなどを内蔵し、単体でも充分に商品価値がある。
しかも、商品を保護する商品保護台紙なども内蔵して、贈答用として、御菓子なども合わせ、郵送可能な形態にできるように、簡素で軽量で、大きさも薄く小さくすることができる。
さらに、組み立ても簡単なので、開封後、直ぐに、小さなお子様など誰でも組み立てて、視聴できると共に、しまう時も非常にコンパクトに収納でき、かつ、安価で大量生産可能な簡易３次元ビューワであり、本発明のメリットは大きい。
【符号の説明】
【００３４】
１・・・・・・・・簡易３次元ビューワ
２・・・・・・・・携帯端末収納用外箱
２１・・・・・・・窓部
２１１・・・・・・脆弱線
２２・・・・・・・左側面外板
２２１・・・・・・開封用フラップ
２２１０・・・・・差し込み片
２２１１・・・・・開封端部（左）
２２１２・・・・・開封端部（右）
２２１３・・・・・脆弱線
２２２・・・・・・左側面内板
２２２１・・・・・切り込み部
２３、２６・・・・側面板
２３１・・・・・・のりしろ
２４・・・・・・・裏面板
２５・・・・・・・表面板
２７・・・・・・・右側面外板
２７１・・・・・・右側面内板
２８・・・・・・・レンズホルダー係止フラップ
３・・・・・・・・レンズホルダー
３１・・・・・・・レンズプレート
３１０・・・・・・レンズ
３２・・・・・・・接眼面板
３２１・・・・・・レンズ用開口部
３２２・・・・・・切り込み
３２２０・・・・・挿嵌帯
３２３・・・・・・差し込みフラップ
３２３０・・・・・切り欠き
３３・・・・・・・右側面板
３３１・・・・・・第１折り線
３３２・・・・・・第２折り線
３３３・・・・・・第３折り線
３３４・・・・・・内側開口部
３３５・・・・・・切り込み
３３６・・・・・・仕切り板
３３６１・・・・・仕切り板折り線
３３６２・・・・・レンズプレート押さえ
３３７・・・・・・接着板
３３８・・・・・・のりしろ
３３９・・・・・・折り線
３４・・・・・・・左側面板
３４１・・・・・・折り線
３５・・・・・・・上側面板
３５１・・・・・・係止片
３５２・・・・・・折線
３５３・・・・・・切り欠き
３６・・・・・・・下側面板
３６１・・・・・・係止片
３６２・・・・・・折線
３６３・・・・・・レンズ用開口部
３６４・・・・・・切り込み
３６４０・・・・・挿嵌帯
３６５・・・・・・差し込み部
３６６・・・・・・折り込み部
３７・・・・・・・裏面板
３８・・・・・・・延長側面板
３８１・・・・・・係止片
３８２・・・・・・のりしろ片
３９１・・・・・・側面外板
３９２・・・・・・側面内板
４・・・・・・・・携帯端末
４１・・・・・・・パネル（画像）
６・・・・・・・・商品保護台紙
【図１】
2018124500.tif 000003
【図２】
2018124500.tif 000004
【図３】
2018124500.tif 000005
【図４】
2018124500.tif 000006
【図５】
2018124500.tif 000007
【図６】
2018124500.tif 000008
【図７】
2018124500.tif 000009
【図８】
2018124500.tif 000010
【図９】
2018124500.tif 000011
【図１０】
2018124500.tif 000012
【図１１】
2018124500.tif 000013
【図１２】
2018124500.tif 000014